(57)【特許請求の範囲】
【請求項１】
印刷が行われた用紙で小冊子を生成可能とするように、複数の画像情報を並び替えて複数の用紙の表裏にページ割付を行う割付手段と、
前記割付手段によりページ割付された画像情報に基づいて印刷すべき全ての用紙の表面又は裏面の一方に印刷を行った後、用紙の表面又は裏面の他方に印刷を行う印刷手段と、
用紙の表面又は裏面の一方の印刷時に障害が生じた場合は、印刷に障害を生じたと指示されたページを含む用紙を印刷再開位置と決定し、用紙の表面又は裏面の他方の印刷時に障害が生じた場合は、印刷に障害を生じたと指示されたページを含む用紙の次に印刷すべき用紙を印刷再開位置と決定する決定手段と、
を具備することを特徴とする画像形成装置。
【請求項２】
印刷に障害を生じた場合に印刷に障害を生じたページを確認するための情報を表示する表示手段をさらに有する請求項１記載の画像形成装置。
【請求項３】
前記表示手段は、画像情報が割り付けられた用紙裏面を示す裏面表示欄と、画像情報が割り付けられた用紙表面を示す表面表示欄とを有することを特徴とする請求項２記載の画像形成装置。
【請求項４】
前記表示手段は、障害のために未印刷となった画像情報が割り付けられた用紙表面及び裏面を示す保存情報表示欄を有することを特徴とする請求項２又は３記載の画像形成装置。
【請求項５】
前記印刷手段が予め定めた数の印刷を行う毎に該印刷手段による印刷を停止する停止手段をさらに具備し、
前記表示手段は、前記停止手段により印刷が停止した際に、前記停止手段により停止された最後に出力された用紙を指定するための表示を行うことを特徴とする請求項２乃至４いずれか記載の画像形成装置。
【請求項６】
印刷が行われた用紙で小冊子を生成可能とするように、複数の画像情報を並び替えて複数の用紙の表裏にページ割付を行う割付処理と、
前記割付処理によりページ割付された画像情報に基づいて印刷すべき全ての用紙の表面又は裏面の一方に印刷を行った後、用紙の表面又は裏面の他方に印刷を行う印刷処理と、
用紙の表面又は裏面の一方の印刷時に障害が生じた場合は、印刷が失敗したと指示されたページを含む用紙を印刷再開位置と決定し、用紙の表面又は裏面の他方の印刷時に障害が生じた場合は、印刷が失敗したと指示されたページを含む用紙の次に印刷すべき用紙を印刷再開位置と決定する決定処理と、
をコンピュータに実行させることを特徴とする画像形成装置の制御プログラム。
【請求項７】
印刷に障害を生じた場合に印刷に障害を生じたページを確認するため情報を表示する表示処理をさらに前記コンピュータに実行させることを特徴とする請求項６記載の画像形成装置の制御プログラム。
【請求項８】
前記表示処理は、画像情報が割り付けられた用紙裏面を示す裏面表示処理と、画像情報が割り付けられた用紙表面を示す表面表示処理とを前記コンピュータに実行させることを特徴とする請求項７記載の画像形成装置の制御プログラム。
【請求項９】
前記表示処理は、障害のために未印刷となった画像情報が割り付けられた用紙表面及び裏面を示す保存情報表示処理を前記コンピュータに実行させることを特徴とする請求項７又は８記載の画像形成装置の制御プログラム。
【請求項１０】
前記印刷処理が予め定めた数の印刷を行う毎に該印刷処理による印刷を停止する停止処理をさらに前記コンピュータに実行させ、
前記表示処理は、前記停止処理により印刷が停止した際に、前記停止処理により停止された最後に出力された用紙を指定するための表示を行う
ことを特徴とする請求項７乃至９いずれか記載の画像形成装置の制御プログラム。
【発明の詳細な説明】
【技術分野】
【０００１】
本発明は、画像形成装置、画像形成装置の制御プログラムに関する。
【背景技術】
【０００２】
近年、プリンタ等の画像形成装置は、様々な用途に利用されるようになっており、画像形成装置にも、様々な機能が付加されている。
【０００３】
画像形成装置が有する付加機能としては、例えば、小冊子の印刷を目的とした小冊子印刷機能がある。小冊子印刷機能は、用紙の両面のそれぞれに２ページを割り付けて両面印刷した用紙を重ねて２つに折って綴じた際に、小冊子となるようにしたもので、ページの割付処理は、複雑なものとなる。
【０００４】
このため、印刷を実行する前に、印刷後の状態をプレビューすることができるようにした技術（例えば、特許文献１参照）や、差込印刷が反映されたプレビューを表示する技術（例えば、特許文献２参照）など、印刷後の状態を印刷を実行する前に確認できるようにしたものが提案されている。
【先行技術文献】
【特許文献】
【０００５】
【特許文献１】特開２００１−１３４４１０号公報
【特許文献２】特開２００３−０９１５２８号公報
【発明の概要】
【発明が解決しようとする課題】
【０００６】
本発明は、手動による両面印刷を利用して小冊子を生成する際に、印刷時に障害が生じた場合でも、その後の対応を容易に行わせることのできる画像形成装置、画像形成装置の制御プログラムを提供することを目的とする。
【課題を解決するための手段】
【０００７】
上述した目的を達成するため、請求項１の発明は、手動による両面印刷を行った際に、該印刷が行われた用紙で小冊子を生成可能とするように、複数の画像情報をページ順に従って並び替えてページ割付を行う割付手段と、前記割付手段によりページ割付された画像情報に基づいて印刷を行う印刷手段と、前記印刷手段による印刷時に障害が生じた際に、該印刷手段により印刷を再開する際に用いる用紙を前記画像情報により特定した情報を表示する表示手段とを具備することを特徴とする。
【０００８】
また、請求項２の発明は、請求項１の発明において、前記表示手段が表示した情報に応じて前記印刷手段により印刷を再開する際に用いる用紙の指定を受け付ける受付手段と、前記受付手段が受け付けた用紙の指定に基づいて前記印刷手段による印刷を再開した場合に未印刷となる画像情報が存在する場合に、該画像情報を特定する情報を再印刷情報として保存する保存手段とをさらに具備することを特徴とする。
【０００９】
また、請求項３の発明は、請求項１の発明において、前記印刷手段が予め定めた数の印刷を行う毎に該印刷手段による印刷を停止する停止手段をさらに具備し、前記表示手段は、前記停止手段により印刷が停止した際に、前記印刷手段により印刷を再開する際に用いる用紙を前記画像情報により特定した情報を表示することを特徴とする。
【００１０】
また、請求項４の発明は、手動による両面印刷を行った際に、該印刷が行われた用紙で小冊子を生成可能とするように、複数の画像情報をページ順に従って並び替えてページ割付を行う割付処理と、前記割付処理によりページ割付された画像情報に基づいて印刷手段に印刷を行わせる印刷処理と、前記印刷手段による印刷時に障害が生じた際に、該印刷手段により印刷を再開する際に用いる用紙を前記画像情報により特定した情報を表示する表示処理とをコンピュータに実行させることを特徴とする。
【００１１】
また、請求項５の発明は、請求項４の発明において、前記表示処理で表示した情報に応じて前記印刷手段により印刷を再開する際に用いる用紙の指定を受け付ける受付処理と、前記受付処理で受け付けた用紙の指定に基づいて前記印刷手段による印刷を再開した場合に未印刷となる画像情報が存在する場合に、該画像情報を特定する情報を再印刷情報として保存する保存処理とをさらに前記コンピュータに実行させることを特徴とする。
【００１２】
また、請求項６の発明は、請求項４の発明において、前記印刷手段が予め定めた数の印刷を行う毎に該印刷手段による印刷を停止する停止処理をさらに前記コンピュータに実行させ、前記表示処理は、前記停止処理により印刷が停止した際に、前記印刷手段により印刷を再開する際に用いる用紙を前記画像情報により特定した情報を表示することを特徴とする。
【発明の効果】
【００１３】
請求項１の発明によれば、手動による両面印刷を利用して小冊子を生成する際の印刷時に、紙詰まり等の障害が生じた場合であっても、該障害から復帰した後の印刷再開を容易に行うことができるとともに、用紙の無駄を防止することが可能となる。
【００１４】
また、請求項２の発明によれば、紙詰まり等の障害が生じたことにより不足するページの再印刷を容易に行うことが可能となる。
【００１５】
また、請求項３の発明によれば、用紙の重送等により、表面と裏面の印刷にずれが生じた場合であっても、無駄となる用紙の数を減少させることが可能となる。
【００１６】
また、請求項４の発明によれば、手動による両面印刷を利用して小冊子を生成する際の印刷時に、紙詰まり等の障害が生じた場合であっても、該障害から復帰した後の印刷再開を容易に行うことができるとともに、用紙の無駄を防止することが可能となる。
【００１７】
また、請求項５の発明によれば、紙詰まり等の障害が生じたことにより不足するページの再印刷を容易に行うことが可能となる。
【００１８】
また、請求項６の発明によれば、用紙の重送等により、表面と裏面の印刷にずれが生じた場合であっても、無駄となる用紙の数を減少させることが可能となる。
【図面の簡単な説明】
【００１９】
【図１】画像形成装置の構成を示すブロック図である。
【図２】制御部２の構成例を示す図である。
【図３】制御部２の機能的な構成の構成例を示すブロック図である。
【図４】割り付け処理を説明するための図である。
【図５】制御部２の動作の流れを示すフローチャートである。
【図６】制御部２の動作の流れを示すフローチャートである。
【図７】対応指示画面の例を示した図である。
【図８】再開確認指示画面の例を示した図である。
【図９】再開確認指示画面の例を示した図である。
【図１０】対応指示画面の例を示した図である。
【図１１】再開確認指示画面の例を示した図である。
【図１２】再開確認指示画面の例を示した図である。
【図１３】再印刷指示画面の例を示した図である。
【図１４】再開確認指示画面の例を示した図である。
【図１５】制御部２の動作の流れを示すフローチャートである。
【図１６】再開確認指示画面の例を示した図である。
【発明を実施するための形態】
【００２０】
以下、本発明に係る画像形成装置、画像形成装置の制御プログラムの一実施の形態について、添付図面を参照して詳細に説明する。
【実施例１】
【００２１】
図１は、画像形成装置の構成を示すブロック図である。同図に示すように、画像形成装置１は、制御部２と表示部３、指示入力部４、通信部５、画像情報記憶部６、画像形成部７を有している。
【００２２】
制御部２は、画像形成装置１の全体、つまり、表示部３、指示入力部４、通信部５、画像情報記憶部６、画像形成部７の各部を制御する。
【００２３】
表示部３は、画像形成装置１の操作者に対して、操作方法の案内や障害発生の通知等を表示する。
【００２４】
指示入力部４は、画像形成装置１の操作者により操作され、各種設定や印刷実行の指示等が入力される。なお、指示入力部４は、キーボード等の入力装置を用いたものでもよく、表示部３と一体化したタッチパネルを用いたものでもよい。もちろん、両者を併用したものであってもよい。
【００２５】
通信部５は、図示しない情報処理装置等と通信網等を介して通信を行い、情報処理装置等が出力する印刷情報を受信する。印刷情報は、図示しない情報処理装置等のプリンタドライバで生成されたページ記述言語等で記述された情報である。
【００２６】
画像情報記憶部６は、通信部５が受信した印刷情報や、この印刷情報に基づいて画像形成部７が生成した画像情報等を一時的に記憶する。
【００２７】
画像形成部７は、通信部５が受信した印刷情報に基づいて画像情報を生成する画像処理や、画像情報に基づいて用紙上に画像を印刷する印刷処理等を行う。なお、印刷処理は、トナーを用紙上に転写して定着させるものや、インクにより用紙上に印刷を行うものなど、どのような方式によるものでもよい。なお、画像形成部７は、自動で両面印刷を行うための用紙を反転させる機能は有していないものとする。
【００２８】
続いて、制御部２の詳細について説明する。図２は、制御部２の構成例を示す図であり、図３は、制御部２の機能的な構成の構成例を示すブロック図である。
【００２９】
図２に示すように、制御部２は、演算部２１と、一時記憶部２２、記憶部２３、接続部２４を有している。
【００３０】
演算部２１は演算処理行うもので、例えば、ＣＰＵ（Central Processing Unit）等のプロセッサにより実現されるものである。
【００３１】
一時記憶部２４は、演算部２１が演算処理を行う際の作業領域等に用いられ情報等を一時的に記憶するもので、例えばＲＡＭ(Random Access Memory)等の半導体記憶素子で実現されるものである。
【００３２】
記憶部２３は、プログラムや設定情報等を記憶するもので、例えばＲＯＭ（Read Only Memory）、不揮発性メモリ（Nonvolatile Memory）等の半導体記憶素子で実現されるものである。
【００３３】
接続部２４は、表示部３、指示入力部４、通信部５、画像情報記憶部６、画像形成部７のそれぞれと接続するもので、電気回路等で実現されるものである。
【００３４】
制御部２は、記憶部２３に記憶されているプログラムにしたがって演算部２１が動作することにより、図３に示す各機能部を実現する。
【００３５】
図３に示すように、制御部２は、割付部２０１と画像形成制御部２０２、障害検知部２０３、表示情報生成部２０４、再開位置決定部２０５、再印刷情報記憶制御部２０６の各機能部を有している。
【００３６】
割付部２０１は、通信部５が受信した印刷情報に、画像情報のページ割り付けが必要な形態での印刷指示が含まれている場合に、割り付け処理を行う機能部であり、小冊子印刷が指示されている場合にも、割り付け処理を行う。なお、小冊子印刷を行う場合の割り付け処理については後述する。
【００３７】
画像形成制御部２０２は、画像形成部７を制御し、割付部２０１による割り付け処理の結果に応じて、画像形成部７に印刷を実行させる機能部である。
【００３８】
障害検知部２０３は、画像形成部７が印刷を行っている際に、紙詰まり等の障害が発生したことを画像形成部７から出力される信号等に基づいて検知する機能部である。障害検知部２０３は、障害の発生を検知した場合には、これを画像形成部２０２と表示情報生成部２０４に通知し、画像形成部７を停止させるとともに、操作者に障害に対応させるための指示を表示させる。
【００３９】
表示情報生成部２０４は、表示部３に表示する表示情報を生成し、紙詰まり等の障害が発生した際には、操作者に障害に対応させるための指示を含む表示情報を生成して表示部３に表示させる機能部である。なお、生成する表示情報については後述する。
【００４０】
再開位置決定部２０５は、表示情報生成部２０４が生成して表示部３に表示した表示情報に応じて、操作者により指示入力部４に入力された指示入力に基づいて、障害から復帰した際に印刷を再開する位置を決定する機能部である。なお、位置決定の詳細については後述する。
【００４１】
再印刷情報記憶制御部２０６は、障害が発生したことに起因して、未印刷となった画像情報を特定する情報を画像情報記憶部６に記憶させる機能部である。
【００４２】
次に、割付部２０１による小冊子印刷を行う場合の割り付け処理について説明する。図４は、割り付け処理を説明するための図である。
【００４３】
小冊子印刷を行う場合の割り付け処理では、まず、割付部２０１は、割り付ける画像情報のページ数を調整する。小冊子印刷では、用紙の表面と裏面のそれぞれに２ページの画像情報を割り付けるため、各用紙に合計４ページの画像情報を割り付けることになる。このため、印刷情報に基づいて生成した画像情報の数が４の倍数でない場合には、空白ページを追加して、画像情報の数が４の倍数となるように調整を行う。例えば、図４（ａ）に示すように、画像情報の数が１ページから１９０ページまでの１９０であった場合には、図４（ｂ）に示すように、空白ページである１９１ページと１９２ページと追加する。
【００４４】
続いて、割付部２０１は、用紙の裏面に印刷を行うためのページ割り付けを行う。裏面に印刷が行われた用紙は、その後、表面への印刷が行われるため、裏面の印刷時には、出力順が逆となり、最初に出力される用紙に、全ページ数（画像情報の数）を２で除した値のページと、その次ページが印刷されるように割り付けが行われ、次に出力される用紙には、それぞれ前々ページ、次々ページが印刷されるように割り付けが行われる。例えば、図４（ｂ）に示した画像情報を割り付けた場合、図４（ｃ）に示すように、４８枚目の用紙の裏面に９６ページと９７ページを割り付け、４７枚目の用紙の裏面に９４ページと９９ページを割り付け、１枚目の用紙の裏面に２ページと１９１ページを割り付ける。
【００４５】
続いて、割付部２０１は、用紙の表面に印刷を行うためのページ割り付けを行う。表面の印刷時には、最初に出力される用紙に、最後のページと最初のページが印刷されるように割り付けが行われ、次に出力される用紙には、それぞれ前々ページ、次々ページが印刷されるように割り付けが行われる。例えば、図４（ｂ）に示した画像情報を割り付けた場合、図４（ｄ）に示すように、１枚目の用紙の表面に１９２ページと１ページを割り付け、２枚目の用紙の表面に１９０ページと３ページを割り付け、４８枚目の用紙の表面に９８ページと９５ページを割り付ける。
【００４６】
このように割り付け処理を行うことにより、例えば、図４（ｂ）に示した画像情報を割り付けた１８枚目の用紙には、その裏面に３６ページと１５７ページが割り付けられ、その表面には、１５８ページと３５ページが割る付けられる。
【００４７】
次に、制御部２の動作について説明する。図５及び図６は、制御部２の動作の流れを示すフローチャートである。
【００４８】
制御部２は、通信部５が印刷情報を受信すると（ステップ３０１）、当該印刷情報が、小冊子印刷の指示を含むものであるか否かを判断する。当該印刷情報が小冊子印刷の指示を含むものでない場合には（ステップ３０２でＮＯ）、通常の処理を行う（ステップ３０３）。この通常の処理は、従来から行われている処理と同様であるため、ここでの説明は省略する。
【００４９】
一方、通信部５が受信した印刷情報が小冊子診察の指示を含むものであった場合には（ステップ３０２でＹＥＳ）、割付部２０１が、小冊子印刷のための割り付け処理を行う（ステップ３０４）。
【００５０】
続いて、画像形成制御部２０２が画像形成部７を制御して、用紙裏面の印刷を行う（ステップ３０５）。
【００５１】
用紙裏面の印刷を行っている際に紙詰まり等の障害が発生し、これを障害検知部２０３が検知すると（ステップ３０６でＹＥＳ）、表示情報生成部２０４は、操作者に対応を指示するための対応指示画面を生成し、これを表示部３に表示する（ステップ３０７）。
【００５２】
対応指示画面は、例えば、図７に示す画面５０１のように、「紙詰まりが発生しました」、「用紙を取り除いて下さい」等の操作者に対する指示が含まれているものである。
【００５３】
操作者が対応指示画面に表示された指示にしたがって、紙詰まりの原因となた用紙を取り除き、画像形成装置１が印刷の再開が可能な状態になると（ステップ３０８でＹＥＳ）、表示情報生成部２０４が、操作者に印刷再開の確認を行う旨を指示するための再開確認指示画面を生成し、これを表示部３に表示する（ステップ３０９）。
【００５４】
再開確認指示画面は、例えば、図８に示す画面５０２のように、「印刷に失敗したページをプレビューで確認して下さい」等の操作者に対する指示が含まれているものであり、当該画面に対して応答指示を入力、例えば、画面５０２を表示している表示部３がタッチパネルであれば、当該画面に触れると、表示情報生成部２０４は、再開確認指示画面として図９に示す画面５０３のように、印刷に失敗したページを指定することのできる画面を表示部３に表示する。
【００５５】
画面５０３は、全ての画像情報（ページ）をシンボルで示す画像情報表示欄５３１と、画像情報が割り付けられた用紙裏面をシンボルで示す裏面表示欄５３２、裏面表示欄５３２に表示しているシンボルのうち、選択されたシンボルに対応する画像情報の縮小画像を表示する縮小画像表示欄５３３を有している。裏面表示欄５３２は、表示をスクロールさせることで、全ての用紙の裏面の状態を確認することができ、操作者は、画像情報表示欄５３１、裏面表示欄５３２、縮小画像表示欄５３３を参照して、裏面表示欄５３２から、印刷に失敗したページを指定することとなる。なお、画像情報や用紙裏面を示すシンボルに代えて、縮小画像を表示することも可能である。
【００５６】
操作者が印刷に失敗したページを指定すると、制御部２は、これを再開確認指示の入力として検知し（ステップ３１０でＹＥＳ）、再開位置決定部２０２が、印刷を再開する位置を決定する（ステップ３１１）。このとき、再開位置決定部２０２は、操作者により指定された印刷が失敗したページを含む用紙を、印刷を再開する位置に決定する。例えば、操作者が９２ページを含む４６枚目の用紙のシンボルを指定した場合は、４６枚目から印刷を再開するようにする。
【００５７】
これらの処理は、全ての用紙の裏面に対する印刷が終了するまで繰り返され（ステップ３１２でＮＯ）、裏面に対する印刷が終了すると（ステップ３１２でＹＥＳ）、表示制御部３１３は、裏面が印刷済みの用紙を、給紙トレイまたは手差しトレイ等の給紙元にセットする旨を指示する画面を表示する（ステップ３１３）。
【００５８】
そして、操作者が裏面が印刷済みの用紙を給紙元にセットして、指示入力部４から印刷の実行を指示し、これを制御部２が受け付けると（ステップ３１４でＹＥＳ）、画像形成制御部２０２が画像形成部７を制御して、用紙表面の印刷を行う（ステップ３１５）。
【００５９】
用紙表面の印刷を行っている際に紙詰まり等の障害が発生し、これを障害検知部２０３が検知すると（ステップ３１６でＹＥＳ）、表示情報生成部２０４は、操作者に対応を指示するための対応指示画面を生成し、これを表示部３に表示する（ステップ３１７）。対応指示画面は、例えば、図１０に示す画面６０１のように、「紙詰まりが発生しました」、「用紙を取り除いて下さい」等の操作者に対する指示が含まれているものである。
【００６０】
操作者が対応指示画面に表示された指示にしたがって、紙詰まりの原因となた用紙を取り除き、画像形成装置１が印刷の再開が可能な状態になると（ステップ３１８でＹＥＳ）、表示情報生成部２０４が、操作者に印刷再開の確認を行う旨を指示するための再開確認指示画面を生成し、これを表示部３に表示する（ステップ３１９）。
【００６１】
再開確認指示画面は、例えば、図１１に示す画面６０２のように、「印刷に失敗したページをプレビューで確認して下さい」等の操作者に対する指示が含まれているものであり、当該画面に対して応答指示を入力、例えば、画面６０２を表示している表示部３がタッチパネルであれば、当該画面に触れると、表示情報生成部２０４は、再開確認指示画面として図１２に示す画面６０３のように、印刷に失敗したページを指定することのできる画面を表示部３に表示する。
【００６２】
画面６０３は、全ての画像情報（ページ）をシンボルで示す画像情報表示欄６３１と、画像情報が割り付けられた用紙裏面をシンボルで示す裏面表示欄６３２、画像情報が割り付けられた用紙表面をシンボルで示す表面表示欄６３３、障害のために未印刷となった画像情報が割り付けられた用紙表面及び裏面をシンボルで示す保存情報表示欄６３４、裏面表示欄６３２と表面表示欄６３３と保存情報表示欄６３４に表示しているシンボルのうち、選択されたシンボルに対応する画像情報の縮小画像を表示する縮小画像表示欄６３５を有している。裏面表示欄６３２、表面表示欄６３３、保存情報表示欄６３４は、いずれかが選択的に表示され、それぞれ表示をスクロールさせることが可能となる。操作者は、画像情報表示欄６３１、裏面表示欄６３２、表面表示欄６３３、縮小画像表示欄６３５を参照して、裏面表示欄６３２または表面表示欄６３３から、印刷に失敗したページを指定することとなる。なお、裏面表示欄６３２と表面表示欄６３３には、同じ用紙の情報が表示されるため、印刷に失敗したページの指定は、裏面表示欄６３２と表面表示欄６３３のいずれから行ってもよい。また、障害である紙詰まりが、用紙の重送に起因して発生する場合もあり、この場合には、失敗した用紙が複数枚となることから、印刷に失敗したページの指定は、複数指定することを可能としている。
【００６３】
操作者が印刷に失敗したページを指定すると、制御部２は、これを再開確認指示の入力として検知し（ステップ３２０でＹＥＳ）、再開位置決定部２０２が、印刷を再開する位置を決定する（ステップ３２１）。このとき、再開位置決定部２０２は、操作者により指定された印刷が失敗したページを含む用紙の次に印刷すべき用紙を、印刷を再開する位置に決定する。例えば、操作者が５ページを含む３枚目の用紙のシンボルを指定した場合は、４枚目から印刷を再開するようにする。また、操作者が３枚目の用紙のシンボルと４枚目の用紙のシンボルを指定した場合は、５枚目から印刷を再開するようにする。
【００６４】
また、再開位置決定部２０２が、印刷の再開位置を決定した際に、未印刷となるページが生じた場合（ステップ３２２でＹＥＳ）、再印刷情報記憶制御部２０６が、画像情報記憶部６に、再印刷情報として未印刷となるページの情報を記憶する（ステップ３２３）。このとき、対象となるページの画像情報を記憶してもよく、未印刷となるページを特定する情報のみを記憶してもよい。未印刷となるページは、例えば、操作者が３枚目の用紙のシンボルを指定し、４枚目を再開位置に決定した場合、３枚目の用紙に印刷すべき５ページと１８８ページが未印刷に相当し、また、厳密には未印刷ではないが、裏面が印刷済みの３枚目の用紙が破棄されたことにより未印刷と同等となる６ページと１８７ページも未印刷に相当するものとなる。
【００６５】
これらの処理は、全ての用紙の表面に対する印刷が終了するまで繰り返され（ステップ３２４でＮＯ）、裏面に対する印刷が終了すると（ステップ３２４でＹＥＳ）、制御部２は、画像情報記憶部６に再印刷情報が記憶されていなければ（ステップ３２５でＮＯ）、印刷処理を終了し、画像情報記憶部６に再印刷情報が記憶されていれば（ステップ３２５でＹＥＳ）、再印刷処理を行って、印刷処理を終了する。
【００６６】
再印刷処理は、表示情報生成部２０４が、再印刷指示画面として、例えば、図１３に示すような画面６０４を表示し、この画面６０４から選択された画像情報を印刷することで行われる。画面６０４は、図１２に示した画面６０３において、選択的に表示される裏面表示欄６３２、表面表示欄６３３、保存情報表示欄６３４のうちから、保存情報表示欄６３４を表示させている状態に相当するものである。
【００６７】
なお、裏面の印刷と表面の印刷は、その順序が逆であってもよく、先に印刷する面を印刷している際、上述の例では裏面を印刷している際は、結果として、片面印刷をしている場合と同様の処理であるため、ステップ３０９、ステップ３１０、ステップ３１１の処理を省略することもできる。
【００６８】
また、再開確認指示画面は、必ずしも図９や図１２に示したようなシンボルや縮小画像を用いた画面である必要はなく、例えば、図１４に示すような、文字のみを表示する画面であってもよい。
【００６９】
さらに、障害検知部２０３が検知する障害は、紙詰まりに限らず、用紙の重送等であっても、検知可能な障害であれば、同様に処理を行うこととなる。
【実施例２】
【００７０】
実施例２では、実施例１で説明した処理に加え、検知することができなかった用紙の重送によって表面と裏面の印刷結果のずれが生じた場合に、用紙の無駄を少なくするための処理を実行する場合の例を説明する。なお、ここで説明する例は、実施例１で説明した処理と一部が異なるのみであるため、ここでは、相違点のみ説明する。
【００７１】
図１５は、制御部２の動作の流れを示すフローチャートである。なお、同フローチャートは、図６に示したフローチャートにステップ３５０を加えたのみであるため、前後の処理を省略している。
【００７２】
制御部２は、障害が発生することなく表面の印刷を行っている際に（ステップ３１６でＮＯ）、その印刷枚数が予め定めた数に達した場合（ステップ３５０でＹＥＳ）、画像形成制御部２０２が画像形成部７を制御して印刷を停止させ、表示情報生成部２０４が、操作者に印刷再開の確認を行う旨を指示するための再開確認指示画面を生成し、これを表示部３に表示する（ステップ３１９）。
【００７３】
再開確認指示画面は、例えば、「最後に出力された用紙のページをプレビューで確認して下さい」等の操作者に対する指示が含まれているものであり、当該画面に対して応答指示が入力されると、表示情報生成部２０４は、再開確認指示画面として図１６に示す画面７０１のように、最後に出力された用紙を指定することのできる画面を表示部３に表示する。
【００７４】
画面７０１には、最後に出力されたと想定される用紙の裏面と表示面の情報をシンボルで示す表裏面表示欄７１１を有している。表裏面表示欄７１１は、表示をスクロールさせることが可能であり、これにより、操作者は、最後に出力された用紙をプレビューと比較することができる。
【００７５】
その結果、最後に出力された用紙の表面と裏面の対応がプレビューと一致していなければ、操作者がその旨を指示入力部４から入力することにより、表示情報生成部２０４は、再開確認指示画面として図１２に示した画面６０３を表示し、この画面６０３に対して実施例１の場合と同様の処理を行うことで印刷を再開した際に、表面と裏面の対応が正常とすることができる。
【００７６】
また、最後に出力された用紙の表面と裏面の対応がプレビューと一致していれば、そのまま印刷が再開され、再度、印刷枚数が予め定めた数に達した場合に（ステップ３５０でＹＥＳ）、同様の処理を行うこととなる。
【００７７】
このような処理により、検知できない用紙の重送が生じた場合でも、無駄となる用紙が最大でも予め定めた数となり、重送が生じた以降の全ての用紙が無駄となるといった事態を回避することができる。
【符号の説明】
【００７８】
１    画像形成装置
２    制御部
３    表示部
４    指示入力部
５    通信部
６    画像情報記憶部
７    画像形成部
２１    演算部
２２    一時記憶部
２３    記憶部
２４    接続部
２０１    割付部
２０２    画像形成制御部
２０３    障害検知部
２０４    表示情報生成部
２０５    再開位置決定部
２０６    再印刷情報記憶制御部
５０１    画面
５０２    画面
５０３    画面
５３１    画像情報表示欄
５３２    裏面表示欄
５３３    縮小画像表示欄
６０１    画面
６０２    画面
６０３    画面
６０４    画面
６３１    画像情報表示欄
６３２    裏面表示欄
６３３    表面表示欄
６３４    保存情報表示欄
６３５    縮小画像表示欄
７０１    画面
７１１    表裏面表示欄
【図１】
0005757383.tif 000002
【図２】
0005757383.tif 000003
【図３】
0005757383.tif 000004
【図４】
0005757383.tif 000005
【図５】
0005757383.tif 000006
【図６】
0005757383.tif 000007
【図７】
0005757383.tif 000008
【図８】
0005757383.tif 000009
【図９】
0005757383.tif 000010
【図１０】
0005757383.tif 000011
【図１１】
0005757383.tif 000012
【図１２】
0005757383.tif 000013
【図１３】
0005757383.tif 000014
【図１４】
0005757383.tif 000015
【図１５】
0005757383.tif 000016
【図１６】
0005757383.tif 000017